(57)【特許請求の範囲】
【請求項１】
平面形状が円以外の形状である非円形ディンプルと平面形状が円である円形ディンプルとを表面に多数個備えており、
全ディンプル数に占める非円形ディンプルの個数の比率が７７％以上９２％以下であり、
全ディンプル数に占める円形ディンプルの個数の比率が８％以上２３％以下であり、
非円形ディンプルには下記（Ａ）及び（Ｂ）の条件を満たす特殊形状ディンプルが複数種類含まれており、
全非円形ディンプルに占める特殊形状ディンプルの総数の比率が８０％以上であり、
特殊形状ディンプルの全種類から、全ディンプル数に占める比率が５％未満である種類を除いた中で、最小の輪郭線長さを有する種類のディンプル数がＮｓとされ最大の輪郭線長さを有する種類のディンプル数がＮｂとされたとき、この比（Ｎｓ／Ｎｂ）が３０／７０以上７０／３０以下であり、
成形型のパーティング面によって分割された２個の半球のいずれにおいても、そのディンプルパターンが、ポールを回転中心とした１２０°回転対称又は９０°回転対称であるゴルフボール。
（Ａ）平面形状における輪郭線が半円と円弧との組み合わせから形成されていること、又は半円と楕円弧との組み合わせから形成されていること。
（Ｂ）内側に凸である部分を輪郭線が持たないこと。
【請求項２】
上記成形型のパーティング面によって分割された２個の半球のいずれにおいても、そのディンプルパターンが鏡面対称でない請求項１に記載のゴルフボール。
【請求項３】
上記表面に、実質的に同一の中心角度ピッチで並ぶ５個の特殊形状ディンプルによって取り囲まれた特殊ランド部を１２個以上備えている請求項１又は請求項２に記載のゴルフボール。
【請求項４】
上記特殊ランド部が偏りなく表面に配置されている請求項３に記載のゴルフボール。
【請求項５】
ボール仮想球とディンプル表面とに囲まれた部分の容積であるディンプル容積の総和が４００ｍｍ３以上５５０ｍｍ３以下である請求項１から請求項４のいずれか１項記載のゴルフボール。
【発明の詳細な説明】
【０００１】
【発明の属する技術分野】
本発明はゴルフボールに関するものであり、特にゴルフボールのディンプルの改良に関するものである。
【０００２】
【従来の技術】
ゴルフボールは、その表面に３００個から５５０個程度のディンプルを備えている。ディンプルの役割は、ゴルフボール飛行時にゴルフボール周りの空気の流れを乱すことによって境界層の乱流遷移を促進し、乱流剥離を起こさせることにある（以下「ディンプル効果」とも称される）。乱流遷移の促進により空気のゴルフボールからの剥離点が後方に下がり、圧力抵抗が小さくなってゴルフボールの飛距離が増大する。また、乱流遷移の促進により、バックスピンに起因するゴルフボールの上側と下側とにおける剥離点の差が助長され、ゴルフボールに作用する揚力が高められる。従って、乱流遷移を促進しやすいディンプル、すなわち空気の流れをよりよく乱すことができるディンプルほど、空力特性に優れたものであるといえる。
【０００３】
空力特性向上の目的で、ディンプル形状に関する種々の提案がなされている。例えば、米国特許第５８９０９７５号には、伸ばされたディンプル（ｅｌｏｎｇａｔｅｄ  ｄｉｍｐｌｅ）を備えたゴルフボールが開示されている。また、特開２０００−１８５１１３公報には、平面形状（ディンプルが法線方向から見られたときの輪郭形状）が楕円であるディンプルを備えたゴルフボール、平面形状が長円であるディンプルを備えたゴルフボール及び平面形状が涙形であるディンプルを備えたゴルフボールが開示されている。
【０００４】
【発明が解決しようとする課題】
ゴルファーにとっての大きな関心事として、好スコアでプレーすることと共に、ゴルフボールを遠くまで飛ばすことが挙げられる。多くのゴルファーは、少しでも飛行性能に優れたゴルフボールを望んでいる。しかしながら、ゴルファーの要求を満たすゴルフボールは、未だ得られていない。
【０００５】
本発明はこのような実状に鑑みてなされたものであり、飛行性能に優れたゴルフボールの提供をその目的とするものである。
【０００６】
【課題を解決するための手段】
上記の目的を達成するためになされた発明は、
平面形状が円以外の形状である非円形ディンプルと平面形状が円である円形ディンプルとを表面に多数個備えており、
全ディンプル数に占める非円形ディンプルの個数の比率が７７％以上９２％以下であり、
全ディンプル数に占める円形ディンプルの個数の比率が８％以上２３％以下であり、
非円形ディンプルには特殊形状ディンプルが複数種類含まれており、
全非円形ディンプルに占める特殊形状ディンプルの総数の比率が８０％以上であり、
特殊形状ディンプルの全種類から、全ディンプル数に占める比率が５％未満である種類を除いた中で、最小の輪郭線長さを有する種類のディンプル数がＮｓとされ最大の輪郭線長さを有する種類のディンプル数がＮｂとされたとき、この比（Ｎｓ／Ｎｂ）が３０／７０以上７０／３０以下であり、
成形型のパーティング面によって分割された２個の半球のいずれにおいても、そのディンプルパターンが、ポールを回転中心とした１２０°回転対称又は９０°回転対称であるゴルフボール、
である。
【０００７】
ここで特殊形状ディンプルとは、下記（Ａ）及び（Ｂ）の条件をいずれも満たすディンプルを意味する。
（Ａ）平面形状における輪郭線が半円と円弧との組み合わせから形成されていること、又は半円と楕円弧との組み合わせから形成されていること。
（Ｂ）内側に凸である部分を輪郭線が持たないこと。
【０００８】
このゴルフボールでは、特殊形状ディンプルと円形ディンプルとの相乗効果により、空力特性が高められている。従って、このゴルフボールは飛行性能に優れるものである。
【０００９】
好ましくは、成形型のパーティング面によって分割された２個の半球のいずれにおいても、そのディンプルパターンは鏡面対称でない。すなわち、いかなる平面で半球をさらに２分割して１／４球としても、２つの１／４球のディンプルパターンがこの平面に対して対称となることはない。これにより、ディンプル効果がさらに高められる。
【００１０】
好ましくは、ゴルフボールはその表面に、実質的に同一の中心角度ピッチで並ぶ５個の特殊形状ディンプルによって取り囲まれた特殊ランド部を１２個以上備える。この特殊ランド部によって、空気の乱れがさらに促進される。
【００１１】
好ましくは、これらの特殊ランド部は偏りなく表面に配置される。これにより、バックスピンの周速が最も速い部分（以下、「最速部分」と称される）がいかなる位置にあっても、ほぼ同等のディンプル効果が得られる。
【００１２】
好ましくは、ディンプル容積（ボール仮想球とディンプル表面とに囲まれた部分の容積）の総和は、４００ｍｍ３以上５５０ｍｍ３以下である。これにより、より優れた飛行性能が発現される。
【００１３】
【発明の実施の形態】
以下、適宜図面が参照されつつ、実施形態に基づいて本発明が詳細に説明される。
【００１４】
図１は、本発明の一実施形態にかかるゴルフボールが示された平面図である。また、図２はその正面図である。図２では、共に半球状キャビティを備えた上型及び下型からなる成形型のパーティングラインに相当する部分が正面に位置し、且つ左右方向に延びている。このゴルフボールの直径は、通常４２．６７ｍｍから４３．００ｍｍ程度である。このゴルフボールは、ＡからＤの４種類のディンプルを備えている。Ａディンプル及びＢディンプルは、特殊形状ディンプルとしての涙形ディンプルである。
【００１５】
図３（ａ）は涙形ディンプルが示された平面図であり、図３（ｂ）はその断面図である。涙形ディンプルは、平面形状の輪郭が半円部分Ｒｃと半楕円部分Ｒｅとから構成されている。半円部分Ｒｃは、直径がＤ１である円の半分に相当する。半楕円部分Ｒｅは、長径がＤ２であり短径がＤ１である楕円の半分に相当する。涙形ディンプルの輪郭線は、内側に凸である部分を有していない。
【００１６】
この涙形ディンプルは方向性を備えており、円形ディンプルに比べて空気の流れを乱す効果が大きい。従って、ゴルフボールの飛距離向上に寄与する。一方、方向性を備えたディンプルは飛行対称性を損なうおそれがあるが、涙形ディンプルでは半円部分Ｒｃが存在しており、また半円部分Ｒｃ以外の部分も滑らかな曲線なので、飛行対称性への悪影響が抑制される。
【００１７】
図１及び図２に示されたゴルフボールは、２４０個のＡディンプルと、１０２個のＢディンプルと、６０個のＣディンプルと、２４個のＤディンプルとを有している。ディンプル総数は、４２６個である。Ａディンプルは、直径Ｄ１が３．４０ｍｍの半円と、短径Ｄ１が３．４０ｍｍであり長径Ｄ２が５．６０ｍｍ（図３（ａ）におけるＤ２／２が２．８０ｍｍ）である半楕円とから、輪郭が構成されている。Ｂディンプルは、直径Ｄ１が２．７５ｍｍの半円と、短径Ｄ１が２．７５ｍｍであり長径Ｄ２が４．５５ｍｍ（図３（ａ）におけるＤ２／２が２．２７５ｍｍ）である半楕円とから、輪郭が構成されている。Ｃディンプルは、直径が３．４０ｍｍの円形ディンプルである。Ｄディンプルは、直径が２．８５ｍｍの円形ディンプルである。
【００１８】
円形ディンプルの直径は、２．０ｍｍ以上４．７ｍｍ以下が好ましく、２．２ｍｍ以上４．５ｍｍ以下が特に好ましい。直径が上記範囲未満であると、個々のディンプルの面積が小さいため、ディンプル効果が得られにくい。逆に、直径が上記範囲を超えると、ゴルフボール全体のディンプル数が少なく、やはりディンプル効果が得られにくい。
【００１９】
全ディンプル数（すなわち４２６個）に占める非円形ディンプルの個数（すなわち３４２個）の比率は、８０．３％である。そして、この非円形ディンプルのすべてが、特殊形状ディンプルである涙形ディンプルである。一方、このゴルフボールでは、全ディンプル数（すなわち４２６個）に占める円形ディンプルの個数（すなわち８４個）の比率は、１９．７％である。このように、非円形ディンプル（特に特殊形状ディンプル）と円形ディンプルとが混在することにより、ゴルフボール全体としてのディンプル効果が高められる。
【００２０】
全ディンプル数に占める非円形ディンプルの個数の比率は７７％以上９２％以下とされ、全ディンプル数に占める円形ディンプルの個数の比率は８％以上２３％以下とされる。非円形ディンプルの比率が上記範囲未満であると（すなわち円形ディンプルの比率が上記範囲を超えると）、非円形ディンプルによる空気の流れを乱す効果が不十分となることがある。逆に、非円形ディンプルの比率が上記範囲を超えると（すなわち円形ディンプルの比率が上記範囲未満であると）、非円形ディンプルと円形ディンプルとの混在による空気の流れを乱す効果が不十分となることがある。これらの観点から、全ディンプル数に占める非円形ディンプルの個数の比率は８０％以上８６％以下が好ましく、全ディンプル数に占める円形ディンプルの個数の比率は１４％以上２０％以下が好ましい。
【００２１】
全非円形ディンプルに占める特殊形状ディンプルの総数の比率（以下、「特殊形状ディンプル比率」と称される）は、８０％以上とされる必要がある。特殊形状ディンプル比率が８０％未満であると、空気の流れを乱す効果を維持しつつ飛行対称性にも悪影響を与えないという特殊形状ディンプルの効果が、ゴルフボール全体としては得られにくくなる。この観点から、特殊形状ディンプル比率は９０％以上が好ましく、９５％以上がより好ましく、１００％が理想的である。
【００２２】
特殊形状ディンプルには、平面形状における輪郭線が半円と円弧との組み合わせから形成されているディンプル、及び半円と楕円弧（楕円の一部）との組み合わせから形成されているディンプルが含まれる。図３に示された涙形ディンプルは、半円と楕円弧との組み合わせから輪郭線が形成された特殊形状ディンプルに含まれる。特殊形状ディンプルには、空気の流れを乱す効果の少ない円形ディンプルは含まれない。
【００２３】
図４は、特殊形状ディンプルが示された平面図である。図４（ａ）の特殊形状ディンプルは、半円１とこの半円１よりも直径の大きな円の円弧３とから輪郭線が構成されている。また、図４（ｂ）の特殊形状ディンプルは、半円５とこの半円５の直径よりも短径が大きな楕円の楕円弧７とから輪郭線が構成されている。いずれの特殊形状ディンプルも、半円１、５を備えているため、方向性があるディンプルであっても飛行対称性に与える悪影響が少ない。
【００２４】
特殊形状ディンプルにおける半円１、５の半径（図４（ａ）及び図４（ｂ）において両矢印ｒで示されている）は、１ｍｍ以上２．３５ｍｍ以下が好ましい。図４（ａ）に示される、半円１と円弧３とから輪郭線が構成されている特殊形状ディンプルでは、円弧３の突き出し距離（両矢印ｘで示されている）は、以下の数式（Ｉ）に示される関係を満たす大きさであるのが好ましい。
ｒ／２≦ｘ≦（９．５０−ｒ×３）    −−−（Ｉ）
また、図４（ｂ）に示される、半円５と楕円弧７とから輪郭線が構成されている特殊形状ディンプルでは、楕円弧７の突き出し距離（両矢印ｙで示されている）は、以下の数式（II）に示される関係を満たす大きさであるのが好ましい。
ｒ／２≦ｙ≦ｒ    −−−（II）
半径ｒ、突き出し距離ｘ又は突き出し距離ｙが上記範囲未満であると、個々のディンプルの面積が小さいため、ディンプル効果が得られにくい。逆に、半径ｒ、突き出し距離ｘ又は突き出し距離ｙが上記範囲を超えると、ゴルフボール全体のディンプル数が少なく、やはりディンプル効果が得られにくい。
【００２５】
図５は、特殊形状ディンプルではない非円形ディンプルが示された平面図である。図５（ａ）の非円形ディンプルは、半円９とこの半円９よりも直径の大きな円の円弧１１とから輪郭線が構成されている点において、図４（ａ）の特殊形状ディンプルと共通する。しかし、この非円形ディンプルは内側に凸である部分１３を２箇所備えているので、特殊形状ディンプルとは言えない。図５（ｂ）の非円形ディンプルは、半円１５とこの半円１５の直径よりも短径が大きな楕円の楕円弧１７とから輪郭線が構成されている点において、図４（ｂ）の特殊形状ディンプルと共通する。しかし、この非円形ディンプルは内側に凸である部分を２箇所備えているので、特殊形状ディンプルとは言えない。いずれの非円形ディンプルも、方向性がきつく、従ってこれらの非円形ディンプルが多数形成されたゴルフボールは飛行対称性に劣る。
【００２６】
図１及び図２に示されたゴルフボールは、複数種類の特殊形状ディンプル（具体的には、ＡディンプルとＢディンプルとの２種類）を有する。複数種類の特殊形状ディンプルの混在により、空気の流れを乱す効果が助長される。互いに相似であるが合同ではない特殊形状ディンプル同士、及び互いに相似でも合同でもない特殊形状ディンプル同士は、互いに種類の異なる特殊形状ディンプルである。なお、図１及び図２に画かれた涙形ディンプルでは、半円部分と半楕円部分との境界線が画かれているが、両者が円滑に連続している場合は、この境界線は表れない。
【００２７】
特殊形状ディンプルの全種類から、全ディンプル数に占める比率が５％未満である種類を除いた中で、最小の輪郭線長さを有する種類のディンプル数がＮｓとされ最大の輪郭線長さを有する種類のディンプル数がＮｂとされたとき、この比（Ｎｓ／Ｎｂ）は２０／８０以上８０／２０以下とされる。これにより、サイズの小さな特殊形状ディンプルとサイズの大きな特殊形状ディンプルとが適度に混在するので、空気の流れを乱す効果が助長される。この観点から、（Ｎｓ／Ｎｂ）は２５／７５以上７５／２５以下が好ましく、３０／７０以上７０／３０以下が特に好ましい。
【００２８】
図１及び図２に示されたゴルフボールでは、特殊形状ディンプルの全種類のうち最小の輪郭線長さを有する種類（すなわちＢディンプル）のディンプル数は１０２個であり、最大の輪郭線長さを有する種類（すなわちＡディンプル）のディンプル数は２４０個である。従って、（Ｎｓ／Ｎｂ）は３０／７０である。
【００２９】
特殊形状ディンプルの全種類から最小の輪郭線長さを有する種類及び最大の輪郭線長さを有する種類を選定するに際し、全ディンプル数に占める比率が５％未満である種類を除く理由は以下の通りである。まず、ゴルフボールの成形型にはコア保持及び離型容易の目的で、ホールドピンが設けられることがある。また、キャビティからのエアー抜きの目的で、ベントピンが設けられることがある。ディンプルパターンのデザイン等の都合からこれらのピン先端が凸状とされ、ピン先端によってもディンプルが形成されるように金型が構成されることがある（以下、このディンプルは「ピン先端ディンプル」と称される）。このピン先端ディンプルが特殊な形状とされたり、極めてサイズの小さなディンプルとされる場合もある。ピン先端ディンプルの数は、通常は６個から１４個程度と、極めて少数である。従って、ピン先端ディンプルがゴルフボールの飛行性能に与える影響は、多くない。また、ランド部（ゴルフボール表面のうちディンプル以外の部分）を少なくする観点から極小ディンプルが少数設けられたり、ディンプルパターン設計の都合から極大ディンプルが少数設けられることがある。これら極小ディンプル及び極大ディンプルも、少数であるが故にゴルフボールの飛行性能に与える影響は、多くない。本発明では、ゴルフボールの飛行性能に与える影響が少ない種類が除外され、実質的な最大ディンプルと実質的な最小ディンプルとが選定されて、（Ｎｓ／Ｎｂ）が算出される。
【００３０】
図１において符号Ｐで示されているのは、ポールである。このポールＰは、共に半球キャビティを備えた上型及び下型からなる成形型でゴルフボールが成形される場合に、上型と下型とのパーティングラインが地球儀の赤道とされたときの北極点又は南極点に相当する。図１に示された平面図において、ポールＰを中心としてゴルフボールが１２０°（ｄｅｇｒｅｅ）刻みで回転させられると、回転前のディンプルパターンと回転後のディンプルパターンとが完全に一致する。すなわち、このゴルフボールのディンプルパターンは、１２０°回転対称である。１２０°回転対称のディンプルパターンでは、ポールＰを通過する３本の大円の円弧によって半球が３個のユニットに等分割されたとき、各ユニット内のディンプルパターンは同一である。すなわち、それぞれの半球において、ディンプルパターンが同一であるユニットが３回繰り返される。
【００３１】
ディンプルパターンが同一であるユニットの繰り返し数は３回が理想的であるが、４回であってもよい。繰り返し数が４回のディンプルパターンは、９０°回転対称のディンプルパターンである。繰り返し数が２回であったり、繰り返しが全くない場合は、１個のユニットが占める面積が大きく、従って飛行対称性が不十分となることがある。逆に、繰り返し数が５回を超えると、ディンプルパターンが同一であるユニットがバックスピンによって頻繁に繰り返されるので、円形ディンプルと特殊形状ディンプルとが混在することによるディンプル効果が得られにくい。なお、繰り返し数が５回であるディンプルパターンは、７２°回転対称なディンプルパターンである。
【００３２】
図１及び図２に示されたゴルフボールは、１２個の特殊ランド部Ｌｓを有している。特殊ランド部Ｌｓとは、ほぼ同一の中心角度ピッチ（約７２°）で並ぶ５個の特殊形状ディンプル（このゴルフボールの場合はＢディンプル）によって取り囲まれたランド部のことである。この特殊ランド部Ｌｓにより、ディンプル効果が助長される。特に、取り囲む５個の特殊形状ディンプルと交差することなく、直径が１．２ｍｍである円が画かれうるサイズを備えた特殊ランド部Ｌｓが好ましい。
【００３３】
図１及び図２において二点鎖線で示されているのは、ボール仮想球に内接する正二十面体の辺がボール仮想球の球面に投影された稜線である。これらの図から明らかなように、特殊ランド部Ｌｓは、正二十面体の頂点に相当する位置に存在している。すなわち、１２個の特殊ランド部Ｌｓは、ゴルフボールの表面に、偏りなく（均一に）配置されている。これにより、ゴルフボールの飛行対称性が良好となる。
【００３４】
ディンプル容積の総和は、４００ｍｍ３以上５５０ｍｍ３以下が好ましく、４２０ｍｍ３以上５３０ｍｍ３以下が特に好ましい。ディンプル容積の総和が上記範囲未満であると、吹き上がる弾道となって飛距離が不十分となることがある。逆に、ディンプル容積の総和が上記範囲を超えると、低い弾道となって飛距離が不十分となることがある。ディンプル容積とは、ボール仮想球（図３において二点鎖線で示されている）とディンプル表面とに囲まれた部分の容積のことである。また、ディンプル容積の総和とは、すべてのディンプル（図１のゴルフボールでは４２６個のディンプル）のディンプル容積の和のことである。
【００３５】
ディンプル総数は３５０個以上５５０個以下が好ましく、４００個以上４８０個以下が特に好ましい。ディンプル総数が上記範囲未満であると、吹き上がる弾道となって飛距離が不十分となることがある。逆に、ディンプル総数が上記範囲を超えると、低い弾道となって飛距離が不十分となることがある。
【００３６】
図６は、本発明の他の実施形態にかかるゴルフボールが示された平面図である。また、図７はその正面図である。このゴルフボールは、Ａ、Ｂ、Ｅ及びＦの４種類のディンプルを備えている。Ａディンプル及びＢディンプルは、図１及び図２に示されたゴルフボールに形成された涙形ディンプルと形状及び寸法が同一である。Ｅディンプルは、直径が３．２０ｍｍの円形ディンプルである。Ｆディンプルは、直径が２．５０ｍｍの円形ディンプルである。Ａディンプルは２２８個形成されており、Ｂディンプルは１３２個形成されており、Ｅディンプルは６６個形成されており、Ｆディンプルは３０個形成されている。ディンプル総数は、４５６個である。
【００３７】
全ディンプル数（すなわち４５６個）に占める非円形ディンプルの個数（すなわち３６０個）の比率は、７８．９％である。そして、この非円形ディンプルのすべてが、特殊形状ディンプルである涙形ディンプルである。一方、このゴルフボールでは、全ディンプル数（すなわち４５６個）に占める円形ディンプルの個数（すなわち９６個）の比率は、２１．１％である。このように、非円形ディンプル（特に特殊形状ディンプル）と円形ディンプルとが混在することにより、ゴルフボール全体としてのディンプル効果が高められる。
【００３８】
図６及び図７に示されたゴルフボールは、複数種類の特殊形状ディンプル（具体的には、ＡディンプルとＢディンプルとの２種類）を有する。複数種類の特殊形状ディンプルの混在により、空気の流れを乱す効果が助長される。なお、図１及び図２に画かれた涙形ディンプルでは、半円部分と半楕円部分との境界線が画かれているが、両者が円滑に連続している場合は、この境界線は表れない。
【００３９】
図６及び図７に示されたゴルフボールでは、特殊形状ディンプルの全種類のうち最小の輪郭線長さを有する種類（すなわちＢディンプル）のディンプル数は１３２個であり、最大の輪郭線長さを有する種類（すなわちＡディンプル）のディンプル数は２２８個である。従って、（Ｎｓ／Ｎｂ）は３７／６３である。
【００４０】
図６に示された平面図において、ポールＰを中心としてゴルフボールが１２０°（ｄｅｇｒｅｅ）刻みで回転させられると、回転前のディンプルパターンと回転後のディンプルパターンとが完全に一致する。すなわち、このゴルフボールのディンプルパターンは、１２０°回転対称である。
【００４１】
図６及び図７に示されたゴルフボールは、１２個の特殊ランド部Ｌｓを有している。この特殊ランド部Ｌｓにより、ディンプル効果が助長される。このゴルフボールでは、特殊ランド部Ｌｓは球面に偏在している。
【００４２】
図６において３本画かれている線分Ｌｄは、いずれも一端がポールＰにある線分であり、互いに１２０°の中心角度ピッチで画かれたものである。この線分Ｌｄによって、ゴルフボールの半球は３個のユニットＵに分割されうる。前述のように、このゴルフボールのディンプルパターンは１２０°回転対称なので、各ユニットにおけるディンプルパターンは同一である。線分Ｌｃは、各ユニットをさらに２分割する線分である。各ユニットのディンプルパターンは、線分Ｌｃに対して鏡面対称ではない。このゴルフボールでは、半球のディンプルパターンを鏡面対称に２分割する対称面（図面では線分として表れる）は存在しない。従って、各半球においてバックスピンの最速部分の両側のディンプルパターンが鏡面対称となることがない。よって、このゴルフボールでは、ディンプル効果がより高められる。
【００４３】
【実施例】
以下、実施例に基づいて本発明の効果が明らかにされるが、この実施例の記載に基づいて本発明が限定的に解釈されるべきではないことはもちろんである。
【００４４】
［実施例１］
ソリッドゴムからなるコア層の周りにアイオノマー樹脂組成物を射出成形してカバー層を形成し、平面図が図１であり正面図が図２であるディンプルパターンを備えた実施例１のゴルフボールを得た。ボールの外径は４２．７０ｍｍ±０．０３ｍｍであり、コンプレッションは９３±２であり、ディンプル容積総和は約４８０ｍｍ３であった。
【００４５】
［実施例２］
成形型を変更し、平面図が図６であり正面図が図７であるディンプルパターンとした他は実施例１と同様にして、実施例２のゴルフボールを得た。
【００４６】
［比較例１］
成形型を変更し、平面図が図８であり正面図が図９であるディンプルパターンとした他は実施例１と同様にして、比較例１のゴルフボールを得た。このゴルフボールは、前述のＡディンプルを２８０個、前述のＢディンプルを８０個及び前述のＤディンプルを６０個有しており、ディンプル総数は４２０個である。このゴルフボールの非円形ディンプル比率は８５．７％であり、円形ディンプル比率は１４．３％であり、特殊形状ディンプル比率は１００％である。このゴルフボールにおけるＮｓ／Ｎｂの値は２２／７８である。このゴルフボールの半球におけるディンプルパターンは７２°回転対称であり、鏡面対称でもある。このゴルフボールは１２個の特殊ランド部Ｌｓを備えており、これらは球面に均一に分散している。
【００４７】
［比較例２］
成形型を変更し、平面図が図１０であり正面図が図１１であるディンプルパターンとした他は実施例１と同様にして、比較例２のゴルフボールを得た。このゴルフボールは、前述のＡディンプルを１８０個、前述のＢディンプルを１８０個、輪郭が円でありその直径が４．３０ｍｍであるＧディンプルを１２個及び輪郭が円でありその直径が３．６５ｍｍであるＨディンプルを６０個有しており、ディンプル総数は４３２個である。このゴルフボールの非円形ディンプル比率は８３．３％であり、円形ディンプル比率は１６．７％であり、特殊形状ディンプル比率は１００％である。このゴルフボールにおけるＮｓ／Ｎｂの値は５０／５０である。このゴルフボールの半球におけるディンプルパターンは７２°回転対称であり、鏡面対称でもある。このゴルフボールは特殊ランド部を備えていない。
【００４８】
［比較例３］
成形型を変更し、平面図が図１２であり正面図が図１３であるディンプルパターンとした他は実施例１と同様にして、比較例３のゴルフボールを得た。このゴルフボールは、前述のＡディンプルを２２２個、前述のＢディンプルを１０２個、輪郭が円でありその直径が３．６０ｍｍであるＩディンプルを７８個及び前述のＤディンプルを２４個有しており、ディンプル総数は４２６個である。このゴルフボールの非円形ディンプル比率は７６．１％であり、円形ディンプル比率は２３．９％であり、特殊形状ディンプル比率は１００％である。このゴルフボールにおけるＮｓ／Ｎｂの値は３１／６９である。このゴルフボールの半球におけるディンプルパターンは１２０°回転対称であり、鏡面対称でもある。このゴルフボールは１２個の特殊ランド部Ｌｓを備えており、これらは球面に均一に分散している。
【００４９】
［比較例４］
成形型を変更し、平面図が図１４であり正面図が図１５であるディンプルパターンとした他は実施例１と同様にして、比較例４のゴルフボールを得た。このゴルフボールは、前述のＡディンプルを３００個、前述のＢディンプルを１０２個及び輪郭が円でありその直径が２．６５ｍｍであるＪディンプルを２４個有しており、ディンプル総数は４２６個である。このゴルフボールの非円形ディンプル比率は９４．４％であり、円形ディンプル比率は５．６％であり、特殊形状ディンプル比率は１００％である。このゴルフボールにおけるＮｓ／Ｎｂの値は２５／７５である。このゴルフボールの半球におけるディンプルパターンは１２０°回転対称であり、鏡面対称でもある。このゴルフボールは１２個の特殊ランド部Ｌｓを備えており、これらは球面に均一に分散している。
【００５０】
［飛距離テスト］
各実施例及び各比較例のゴルフボールをそれぞれ２０個ずつ用意し、２３℃に保温した。一方、ツルテンパー社製のスイングロボットにメタルヘッド製のドライバー（Ｗ１）を取り付け、ヘッド速度が約４８．８ｍ／ｓ、打ち出し角度が約１０°、バックスピンの回転速度が約３０００ｒｐｍとなるように、マシン条件を調整した。そして、ゴルフボールを打撃し、キャリー（発射地点から落下地点までの距離）とトータル飛距離（発射地点から静止地点までの距離）とを測定した。２０個の測定結果の平均値が、下記の表１に示されている。なお、テスト中は、ほぼ無風であった。
【００５１】
【表１】
0003726231.tif 000002
【００５２】
表１において、各実施例のゴルフボールは、各比較例のゴルフボールに比べて飛距離が大きい。この評価結果から、本発明の優位性が明らかにされた。
【００５３】
【発明の効果】
以上説明されたように、
（１）非円形ディンプルと円形ディンプル（特に特殊形状ディンプル）との組み合わせ、
（２）サイズの異なる非円形ディンプル（特に特殊形状ディンプル）の組み合わせ
及び
（３）半球におけるディンプルパターンの繰り返し数の適正化によって、ゴルフボールのディンプル効果が向上する。また、
（４）半球におけるディンプルパターンを鏡面対称としないこと又は
（５）特殊ランド部を配置すること
によって、さらにディンプル効果が向上する。本発明のゴルフボールは、飛行性能に優れたものである。
【図面の簡単な説明】
【図１】図１は、本発明の一実施形態にかかるゴルフボールが示された平面図である。
【図２】図２は、図１のゴルフボールが示された正面図である。
【図３】図３（ａ）は涙形ディンプルが示された平面図であり、図３（ｂ）はその断面図である。
【図４】図４（ａ）及び図４（ｂ）は、いずれも特殊形状ディンプルが示された平面図である。
【図５】図５（ａ）及び図５（ｂ）は、いずれも特殊形状ディンプルではない非円形ディンプルが示された平面図である。
【図６】図６は、本発明の他の実施形態にかかるゴルフボールが示された平面図である。
【図７】図７は、図６のゴルフボールが示された正面図である。
【図８】図８は、本発明の比較例１にかかるゴルフボールが示された平面図である。
【図９】図９は、図８のゴルフボールが示された正面図である。
【図１０】図１０は、本発明の比較例２にかかるゴルフボールが示された平面図である。
【図１１】図１１は、図１０のゴルフボールが示された正面図である。
【図１２】図１２は、本発明の比較例３にかかるゴルフボールが示された平面図である。
【図１３】図１３は、図１２のゴルフボールが示された正面図である。
【図１４】図１４は、本発明の比較例４にかかるゴルフボールが示された平面図である。
【図１５】図１５は、図１４のゴルフボールが示された正面図である。
【符号の説明】
１、５・・・半円
３・・・円弧
７・・・楕円弧
Ａ・・・Ａディンプル
Ｂ・・・Ｂディンプル
Ｃ・・・Ｃディンプル
Ｄ・・・Ｄディンプル
Ｅ・・・Ｅディンプル
Ｆ・・・Ｆディンプル
Ｌｓ・・・特殊ランド部
Ｐ・・・ポール
Ｒｃ・・・半円部分
Ｒｅ・・・半楕円部分
Ｕ・・・ユニット
【図１】
0003726231.tif 000003
【図２】
0003726231.tif 000004
【図３】
0003726231.tif 000005
【図４】
0003726231.tif 000006
【図５】
0003726231.tif 000007
【図６】
0003726231.tif 000008
【図７】
0003726231.tif 000009
【図８】
0003726231.tif 000010
【図９】
0003726231.tif 000011
【図１０】
0003726231.tif 000012
【図１１】
0003726231.tif 000013
【図１２】
0003726231.tif 000014
【図１３】
0003726231.tif 000015
【図１４】
0003726231.tif 000016
【図１５】
0003726231.tif 000017